(57)【要約】【課題】運転上の視覚を妨げることがなく、取付け・取外しが従来の接着剤を使用する方法よりも簡単なカーナビの取付け具を提供する。【解決手段】自動車に装備される灰皿を引き出した状態で灰皿内に取り出し可能に挿入され灰皿の両側内壁に支持されることによって灰皿に固定される板状の灰皿内挿入部２と、カーナビが装着される板状のカ−ナビ装着部３と、該灰皿内挿入部２を灰皿内に挿入した時カーナビ装着部３が灰皿内挿入部２よりも高い位置に位置するように段差を設けてカーナビ装着部２と灰皿内挿入部３を接続する接続部４とを備えるカーナビ取付け具。【選択図】図１
2005219516.tif 000002
【特許請求の範囲】
【請求項１】
自動車に装備される灰皿を引き出した状態で該灰皿内に取り出し可能に挿入され該灰皿の両側内壁に支持されることによって該灰皿に固定される板状の灰皿内挿入部と、カーナビが装着される板状のカ−ナビ装着部と、該灰皿内挿入部を灰皿内に挿入した時該カーナビ装着部が該灰皿内挿入部よりも高い位置に位置するように段差を設けて該カーナビ装着部と該灰皿内挿入部を接続する接続部とを備えることを特徴とするカーナビ取付け具。
【請求項２】
該灰皿内挿入部は、灰皿の両側内壁間の長さが所定値以内で異なる複数の灰皿のそれぞれに挿入を許容し、挿入完了後は該灰皿内挿入部の両側部を灰皿両側内壁に固定させる灰皿内挿入部可変保持手段を備えることを特徴とする請求項１記載のカーナビ取付け具。
【請求項３】
該灰皿内挿入部可変保持手段は、該灰皿内挿入部の灰皿内への挿入時には灰皿両側内壁により押圧されて弾性変形し、挿入完了時には該灰皿内挿入部の両側部を灰皿両側内壁に固定するように付勢するバネ手段であることを特徴とする請求項２記載のカーナビ取付け具。
【請求項４】
自動車に装備される灰皿を引き出した状態で該灰皿内に取り出し可能に挿入され該灰皿の両側内壁に支持されることによって該灰皿に固定される板状の灰皿内挿入部と、物品が載置される板状の物品置き台と、該灰皿内挿入部を灰皿内に挿入した時該物品置き台が該灰皿内挿入部よりも高い位置に位置するように段差を設けて該物品置き台と該灰皿内挿入部を接続する接続部とを備えることを特徴とする物品置き台取付け具。
【請求項５】
該灰皿内挿入部は、灰皿の両側内壁間の長さが所定値以内で異なる複数の灰皿のそれぞれに挿入を許容し、挿入完了後は該灰皿内挿入部の両側部を灰皿両側内壁に固定させる灰皿内挿入部可変保持手段を備えることを特徴とする請求項４記載の物品置き台取付け具。
【請求項６】
該灰皿内挿入部可変保持手段は、該灰皿内挿入部の灰皿内への挿入時には灰皿両側内壁により押圧されて弾性変形し、挿入完了時には該灰皿内挿入部の両側部を灰皿両側内壁に固定するように付勢するバネ手段であることを特徴とする請求項５記載の物品置き台取付け具。
【発明の詳細な説明】
【技術分野】
【０００１】
本発明は、カーナビゲーションシステム（以下一般に使用されており定着している呼び方にしたがい「カーナビ」と略称する）その他の物品の置き台を自動車に取り付けるための取付け具、特にカーナビの取付け具に関する。
【背景技術】
【０００２】
最近のカーナビの普及はめざましいものがあり、ドライブ愛好家には必需品となっている。カーナビがこのように普及した理由の一つにはポータブルカーナビの製品化が挙げられ、これによってカーナビの持ち運びが簡単にでき、中古車にも取付けることができ上に一つの自動車から取外し他の自動車に取付けることができるという便利さがある。
【０００３】
しかしこのポータブルカーナビを自動車に取付ける場合に実際には種々の問題が生じている。ポータブルカーナビは通常助手席前、オーデイオパネル内、ダッシュボードの上などにカーナビの付属品である接着剤を使用して接着されているが、オーデイオパネル以外の場所では運転上死角ができ視界を悪くするので交通安全上問題がある。さらにカーナビを一つの自動車から他の自動車に移して使用する場合や自動車を中古車として売却する場合にはカーナビを取外さなければならないが、この場合接着をはがす作業が面倒なばかりか、自動車に付着した接着剤がきれいにはがれることはなく自動車の内装面に接着剤が残る結果著しく美観を害し、中古車として売却する場合は売却価格が低減するという不都合がある。
【発明の開示】
【発明が解決しようとする課題】
【０００４】
本発明は従来のポータブルカーナビを自動車に取付ける場合に生じる上記問題点にかんがみなされたものであって、運転上の視覚を妨げることがなく、取付け・取外しが従来の接着剤を使用する方法よりも簡単で、特にカーナビを自動車から取外したとき接着剤が自動車の内装面に残ることがないカーナビの取付け具を提供しようとするものである。
【課題を解決するための手段】
【０００５】
現在多くの自動車には灰皿が標準的に装備されているが、最近では喫煙者が減少したため自動車内での灰皿の使用が減少しており、多くの自動車では灰皿は使用されずに放置されているか、使用されてもその頻度は比較的に少ない。本発明者はこの事実に着目し、このように使用される頻度があまり多くない灰皿を利用してカーナビを取付けることができないか研究を重ねた結果、常識的には相当な重量を有するカーナビをなんらかの取付け具に装着してその取付け具を灰皿内に挿入しても、揺れの激しい車内ではカーナビの重みにより取付け具が灰皿から脱出してしまうか振動によりがたつくことが予想され、およそ実用に供し得ないと考えられが、実験して見ると、実際には灰皿の外側に向けて僅かに上方に傾斜して取付けられていることとカーナビの自重により、意外にも取付け具の脱出やがたつきはまったく起こらず、走行中も安定した取付状態を維持できることを発見し、本発明に到達した。
【０００６】
すなわち、請求項１記載のカーナビの取付け具は、自動車に装備される灰皿を引き出した状態で該灰皿内に取り出し可能に挿入され該灰皿の両側内壁に支持されることによって該灰皿に固定される板状の灰皿内挿入部と、カーナビが装着される板状のカ−ナビ装着部と、該灰皿内挿入部を灰皿内に挿入した時該カーナビ装着部が該灰皿内挿入部よりも高い位置に位置するように段差を設けて該カーナビ装着部と該灰皿内挿入部を接続する接続部とを備えることを特徴とするものである。
【０００７】
請求項２記載のカーナビの取付け具においては、該灰皿内挿入部は、灰皿の両側内壁間の長さが所定値以内で異なる複数の灰皿のそれぞれに挿入を許容し、挿入完了後は該灰皿内挿入部の両側部を灰皿両側内壁に固定させる灰皿内挿入部可変保持手段を備えることを特徴とする。
【０００８】
請求項３記載のカーナビ取付け具においては、該灰皿内挿入部可変保持手段は、該灰皿内挿入部の灰皿内への挿入時には灰皿両側内壁により押圧されて弾性変形し、挿入完了時には該灰皿内挿入部の両側部を灰皿両側内壁に固定するように付勢するバネ手段であることを特徴とする。
【０００９】
本発明にかかる取付け具は、カーナビだけでなく、小型テレビ、携帯電話機、飲料容器等の自動車内に持ち込む物品を載置する台を自動車に取付ける用途にも適用することができる。
【００１０】
すなわち、請求項４記載の物品置き台取付け具は、自動車に装備される灰皿を引き出した状態で該灰皿内に取り出し可能に挿入され該灰皿の両側内壁に支持されることによって該灰皿に固定される板状の灰皿内挿入部と、物品が載置される板状の物品置き台と、該灰皿内挿入部を灰皿内に挿入した時該物品置き台が該灰皿内挿入部よりも高い位置に位置するように段差を設けて該物品置き台と該灰皿内挿入部を接続する接続部とを備えることを特徴とする。
【００１１】
請求項５記載の物品置き台取付け具においては、該灰皿内挿入部は、灰皿の両側内壁間の長さが所定値以内で異なる複数の灰皿のそれぞれに挿入を許容し、挿入完了後は該灰皿内挿入部の両側部を灰皿両側内壁に固定させる灰皿内挿入部可変保持手段を備えることを特徴とする。
【００１２】
請求項６記載の物品置き台取付け具においては、該灰皿内挿入部可変保持手段は、該灰皿内挿入部の灰皿内への挿入時には灰皿両側内壁により押圧されて弾性変形し、挿入完了時には該灰皿内挿入部の両側部を灰皿両側内壁に固定するように付勢するバネ手段であることを特徴とする。
【発明の効果】
【００１３】
請求項１記載の発明によれば、カーナビ取付け具は、灰皿に挿入される板状の灰皿内挿入部と、該挿入部に接続部を介して接続されカーナビが装着される板状のカーナビ装着部を備えているので、カーナビをカーナビ装着部に装着し、灰皿内挿入部を引き出した灰皿内に挿入することにより、接着剤を使用せずにカーナビを極めて簡単にワンタッチで自動車に取り付け・取外すことができ、カーナビを取り外して他の自動車に取付ける場合にも、接着剤の跡が自動車の内装面に残ることがなく、美観を損なったり自動車の売却価格を低減するおそれがない。また、灰皿は通常自動車の下部に設置されているから、灰皿内に挿入される取付け具に装着されるカーナビは視認性に優れており、また運転上の視覚を妨げることがない。また、灰皿が僅かに外側に向かって上方に傾斜していることとカーナビの自重により、取付け具の脱出やがたつきはまったく起こらず、走行中もカーナビは自動車に安定して取付けられている。また、取付け具を灰皿から取外せば、灰皿を通常の喫煙に使用することができる。
【００１４】
請求項２記載の発明によれば、灰皿内挿入部は、灰皿の両側内壁間の長さ〔幅〕が所定値以内で異なる複数の灰皿のそれぞれに挿入を許容し、挿入完了後は灰皿内挿入部の両側部を灰皿両側内壁に固定させる灰皿内挿入部可変保持手段を備えているので、異なる幅の灰皿であっても、その幅の相違が所定値の範囲であれば、いずれの灰皿にも取付け具を取り付け固定することができ、異なる種類の灰皿のそれぞれに異なる種類の取付け具を準備する必要がない。
【００１５】
請求項３記載の発明によれば、灰皿内挿入部可変保持手段は、灰皿内挿入部の灰皿内への挿入時には灰皿両側内壁により押圧されて弾性変形し、挿入完了時には灰皿内挿入部の両側部を灰皿両側内壁に固定するように付勢するバネ手段であるので、灰皿挿入部を灰皿内に挿入し固定するために面倒な操作を必要とせず、ワンタッチで挿入し固定することができる。
【００１６】
請求項４記載の発明によれば、物品置き台取付け具の灰皿内挿入部を引出した灰皿内に挿入し、物品置き台に小型テレビ等任意の物品を載置することにより車内をより有効に使用することができる。
【００１７】
請求項５記載の発明によれば、請求項２記載の発明同様に、異なる幅の灰皿であっても、その幅の相違が所定値の範囲であれば、いずれの灰皿にも取付け具を取り付け固定することができ、異なる種類の灰皿のそれぞれに異なる種類の取付け具を準備する必要がない。
【００１８】
請求項６記載の発明によれば、請求項３記載の発明と同様に、灰皿挿入部を灰皿内に挿入し固定するために面倒な操作を必要とせず、ワンタッチで挿入し固定することができる。
【発明を実施するための最良の形態】
【００１９】
以下添付図面を参照して、本発明にかかるカーナビ取付け具の１実施形態について説明する。  
図１は本発明にかかるカーナビの取付け具の１実施形態を示す斜視図である。カーナビ取付け具１は、自動車に装備される灰皿を引き出した状態で灰皿内に取り出し可能に挿入され灰皿の両側内壁に支持されることによって灰皿に固定される板状の灰皿内挿入部２と、カーナビが装着される板状のカ−ナビ装着部３と、灰皿内挿入部２を灰皿内に挿入した時カーナビ装着部３が灰皿内挿入部２よりも高い位置に位置するように段差を設けてカーナビ装着部３と灰皿内挿入部２を接続する接続部４とを備える。
【００２０】
灰皿内挿入部２は平面視した形状が正方形または矩形の板状部材からなり、その幅Ａは灰皿の両側内壁間の長さよりも僅かに小さく、その奥行きＢは灰皿の奥行きよりも小さくかつ灰皿内に固定した時カーナビを充分支持できる値に設定されている。
【００２１】
カーナビ装着部３は平面視した形状が正方形または矩形の板状部材からなり、その取付け具挿入方向の長さＣはカーナビの奥行きとほぼ同一程度であり、またその幅はカーナビ４を支持するために充分な値に設計されている。図示の実施形態においては、カーナビ装着部３の幅は灰皿内挿入部２の幅Ａと同一幅に設定されている。
【００２２】
接続部４は、灰皿内挿入部２およびカーナビ装着部３と一体的に成形されており、本実施形態においては、断面が上方に突出する円弧状の板状に形成されている。
【００２３】
接続部４は傾斜する平板で形成してもよいが、本実施形態のように断面が上方に突出する円弧状に形成すれば、灰皿内挿入部２を灰皿内に挿入した時灰皿の外側端縁が接続部に接触することにより充分な挿入が妨げられることを防止することができるので好ましい。接続部４の幅は灰皿内挿入部２の幅Ａと同一であり、その奥行きはカーナビ装着部３が灰皿内挿入部２よりも所定の値だけ高いレベルに位置するように段差を設けるために充分な長さに設定されている。接続部４はカーナビ装着部３を灰皿内挿入部２よりも所定の値だけ高いレベルで灰皿挿入部２と平行に延長させている。
【００２４】
灰皿内挿入部２、カーナビ装着部３、接続部４の厚みＴはカーナビを支持するために充分な厚みに設定され、本実施形態においては同一厚みに設定されている。
【００２５】
カーナビ装着部３の中央部には長孔５が形成され、この長孔５にはカーナビ装着用のネジ（図示せず）が挿入され、このネジをカーナビの対応するネジ孔（図示せず）にねじ込むことによりカーナビを装着部３に固定することができる。
【００２６】
本実施形態においては、灰皿内挿入部可変保持手段は、灰皿内挿入部２の両側面から突出するようにして灰皿内挿入部２の両側部に固定された４枚の板バネ６によって構成されている。両側の板バネ６の突出寸法を含めた灰皿内挿入部の幅を、灰皿の両側内壁間の長さが所定値以内で異なる複数の灰皿のそれぞれに挿入を許容し、挿入完了後は灰皿内挿入部２の両側の板バネ６を灰皿両側内壁に圧着するような値に設定することにより、異なる幅の灰皿であっても、その幅の相違がこの所定値の範囲であれば、いずれの灰皿にも取付け具を取り付け固定することができ、異なる種類の灰皿のそれぞれに異なる種類の取付け具を準備する必要がないという長所がある。
【００２７】
たとえば、異なる種類の灰皿の両側内壁間の長さ（幅）が７５ｍｍ〜８０ｍｍであるとすれば、両側の板バネ６の突出寸法を含めた灰皿内挿入部の幅を８０ｍｍよりも僅かに大きい値たとえば８２ｍｍに設定するとともに、灰皿内挿入部２の幅Ａを７５ｍｍよりも小さい値たとえば７０ｍｍに設定することにより（したがって板バネ６の片側の突出高さは６ｍｍとなる）この幅範囲内の異なる幅の灰皿のいずれにも１種類の取付け具でカーナビを取付けることができる。
【００２８】
このカーナビ取付け具１を使用してカーナビを自動車に取付ける場合は、カーナビのネジ孔にネジをねじ込んでカーナビを装着部３に装着した後、図２の斜視図および図３の平面図に示すように、灰皿７を引き出し、灰皿内挿入部２を板バネ６の力に抗して灰皿７内に強制的に挿入し、カーナビ装着部３の接続部４に隣接する端部３ａが灰皿７の外側端縁部７ａに支持される状態で灰皿７を自動車の車体内に接続部４の内側端縁４ａが車体に当たるまで押し込むことにより取付けを終了する。挿入を完了した時板バネ６は灰皿の両側内壁７ｂに圧着され、灰皿内挿入部２は灰皿の両側内壁７ｂにしっかりと固定される。取付け具１を取外す場合は、灰皿７を引き出し、カーナビ装着部３を手で保持して灰皿７から灰皿内挿入部２を引きぬくだけでよい。
【００２９】
図４は本発明の他の実施形態を示す斜視図である。この実施形態において図１の実施形態と同一構成要素は同一符号で示し、その説明を省略する。
【００３０】
この実施形態においては、灰皿内挿入部８は、接続部４と一体成形された中央の基部８ａとその両側に配置された灰皿接触部８ｂからなる。灰皿接触部８ｂはこの実施形態において灰皿挿入部可変保持手段を構成する片側各３個のコィルバネ９によって基部８ａに連結されており、したがって、各灰皿接触部８ｂはコイルバネ９の伸縮により灰皿挿入部８の幅方向に変位することができる。この実施形態の灰皿内挿入部８の幅は挿入すべき灰皿の両側内壁７ｂ間の長さ〔幅〕よりも僅かに大きく設定されている。
【００３１】
灰皿内挿入部可変保持手段は上記のように板バネまたはコイルバネを使用するものに限らず、他の手段たとえば図４の構成においてコイルバネに代えてターンバックルを操作して灰皿接触部８ｂを灰皿内壁７ｂに圧着させるように構成する等種々の代替手段を使用することができる。
【００３２】
また、上記図１の実施形態においては、灰皿内挿入部２、カーナビ装着部３、接続部４を一体成形しているが、カーナビ装着部３を接続部４に枢着し、公知の角度調節機構によりカーナビ装着部３を灰皿内挿入部２に対して傾斜させることもできる。これによってカーナビの角度位置を調節することができる。
【００３３】
上記実施形態において、カーナビはネジによってカーナビ装着部３に装着されるように構成されているが、カーナビの装着方法としてはこれに限らず、たとえばカーナビ付属の接着剤を使用してカーナビをカーナビ装着部に接着する等他の方法を使用してもよい。
【００３４】
本発明はカーナビの取付けのみならず、小型テレビ、携帯電話機、飲料のカップ等を載置するための台を簡単に自動車に取り付けるための取付け具にも適用することができる。この場合ネジ孔は必ずしも必要ではないことは勿論である。
【図面の簡単な説明】
【００３５】
【図１】本発明に係るカーナビ取付け具の１実施形態を示す斜視図である。
【図２】同実施形態に係るカーナビ取付け具を灰皿に取付けた状態を示す斜視図である。
【図３】同実施形態に係るカーナビ取付け具を灰皿に取付けた状態を示す平面図である。
【図４】灰皿内挿入部の他の実施形態を示す平面図である。
【符号の説明】
【００３６】
１      カーナビ取付け具
２      灰皿内挿入部
３      カーナビ装着部
４      接続部
６      板バネ（灰皿挿入部可変保持手段）
【図１】
2005219516.tif 000003
【図２】
2005219516.tif 000004
【図３】
2005219516.tif 000005
【図４】
2005219516.tif 000006